(57)【要約】【課題】緊急放送を一般放送よりも確実に優先して行うことができ、しかも、学校等の放送設備におけるスピーカ、アンプなどの既存設備をそのまま緊急放送にも利用できるようにすること。【解決手段】ＩＰ放送受信端末５から出力される緊急情報に係る音声信号が入力される第１入力端子２１と、一般放送に係る音声信号が入力される第２入力端子２２と、アンプ１１〜１３に対して音声信号を出力する第１出力端子２４と、ＩＰ放送受信端末５が起動命令を発生するとき、第１入力端子２１と第１出力端子２４とを接続し、ＩＰ放送受信端末５が起動命令を発生しないとき、第２入力端子２２と第１出力端子２４とを接続するように設けられたリレー２６と、を備えることを特徴とする。【選択図】図２
2013258617.tif 000002
【特許請求の範囲】
【請求項１】
緊急情報の受信時に緊急情報に係る音声信号を出力するとともに起動命令を発生する緊急情報受信端末に対し接続された放送信号切替装置であって、
前記緊急情報受信端末から出力される緊急情報に係る音声信号が入力される第１音声信号入力部と、
一般放送に係る音声信号が入力される第２音声信号入力部と、
アンプに対して音声信号を出力する音声信号出力部と、
前記緊急情報受信端末が起動命令を発生するとき、前記第１音声信号入力部と前記音声信号出力部とを接続し、前記緊急情報受信端末が起動命令を発生しないとき、前記第２音声信号入力部と前記音声信号出力部とを接続するように設けられたリレーと、
を備えることを特徴とする放送信号切替装置。
【請求項２】
請求項１に記載の放送信号切替装置において、
前記緊急情報受信端末は、電気回路を断接するスイッチを有し、該スイッチを接状態にすることで前記起動命令を発生するものであり、
前記リレーは、前記緊急情報受信端末の前記スイッチが接状態にあるとき、リレーコイルが励磁されるように設けられたものである、ことを特徴とする放送信号切替装置。
【請求項３】
請求項１又は２に記載の放送信号切替装置において、
前記リレーは、
前記緊急情報受信端末が起動命令を発生するとき、前記第１音声信号入力部と前記音声信号出力部とを接続するとともに、前記アンプに対する起動命令を発生し、前記緊急情報受信端末が起動命令を発生しないとき、前記第２音声信号入力部と前記音声信号出力部とを接続するとともに、前記アンプに対する起動命令を発生しないように設けられたものである、ことを特徴とする放送信号切替装置。
【発明の詳細な説明】
【技術分野】
【０００１】
本発明は、全国瞬時警報システム（Ｊ−ＡＬＥＲＴ）に接続される放送設備に組み込まれる放送信号切替装置に関する。詳しくは、放送設備において緊急放送を他の放送より優先して流すように放送信号を切替えることができる放送信号切替装置に関する。
【背景技術】
【０００２】
近年、通信衛星と市町村の同報系防災行政無線を利用し、緊急情報を住民へ瞬時に伝達するためのシステムとして、全国瞬時警報システム（Ｊ−ＡＬＥＲＴ）が構築されており、各地方公共団体で運用が開始されている。このＪ−ＡＬＥＲＴによれば、大規模災害や武力攻撃事態が発生した際に、国民の保護のために必要な情報が通信衛星を経由して、瞬時に地方公共団体に伝達されるとともに、地域衛星通信ネットワークに接続された同報系市町村防災行政無線などを通じて住民へ緊急情報が伝達される。
【０００３】
ところで、最近、Ｊ−ＡＬＥＲＴによって通信衛星を経由して地方公共団体に伝達された緊急情報を学校等の構内に伝達するため、学校等の放送設備の改修工事、再構築工事などが進められている。
【０００４】
学校等の放送設備では、ＣＤ、ＢＧＭプレーヤー等を音源とした音楽放送、チャイム放送、ページングなどの音声放送（以下、「一般放送」ともいう。）が流されるが、緊急情報は、これらの一般放送よりも優先して放送しなければならない。
【先行技術文献】
【特許文献】
【０００５】
【特許文献１】特開２００２−３４４４０６号公報
【発明の概要】
【発明が解決しようとする課題】
【０００６】
緊急情報の放送（以下、「緊急放送」ともいう。）を一般放送よりも優先して行うための放送設備としては、（１）一般放送用放送設備と緊急放送用放送設備とでスピーカを共用し、アンプなどその他の機器は両放送設備で別々に設けているもの、（２）一般放送用の放送設備と緊急放送用放送設備とでスピーカ、アンプなど大部分の放送機器類を共用したものが考えられる。これらを比較すると、（１）よりも（２）の方が放送設備を低コストで構築することができる。特に、学校等のように既存の放送設備を持つ施設では、（２）のような放送設備を構築することで、スピーカ、アンプなどの既存設備をそのまま利用でき、緊急放送を行うために必要な放送設備の改修工事費、再構築工事費などを安く済ませることが可能となる。
【０００７】
ところで、特許文献１には、一般放送装置と非常放送装置で構成された構内放送システムが開示されている。この構内放送システムは、Ｊ−ＡＬＥＲＴに接続されるものではないが、既述の（１）の放送設備に類似したものである。すなわち、この構内放送システムにおける一般放送装置は、呼び出し放送やＢＧＭ放送などの一般放送を行い、同構内放送システムにおける非常放送装置は、火災報知器センサが作動した場合に、非常信号を一般放送装置に送信する。そして、この非常信号を受信した一般放送装置は内部のリレーを切り替えて、非常放送装置のアンプを一般放送装置用のスピーカに接続する。これにより、一般放送がカットされるとともに、火災発生情報が構内に流される。この構内放送システムでは、一般放送装置と非常放送装置はスピーカを共用しているが、アンプは別々のものを使用するため、この特許文献１に開示された技術を、学校等のように既存の放送設備を持つ施設に適用しても、スピーカ以外の既存設備をそのまま利用することが容易ではなく、緊急放送を行うために必要な学校等の放送設備の改修工事費、再構築工事費などが高くなる。
【０００８】
本発明は、かかる実情等に鑑みて創案されたものであり、緊急放送を一般放送よりも確実に優先して行うことができ、しかも、学校等の放送設備におけるスピーカ、アンプなどの既存設備をそのまま緊急放送にも利用できるようにする放送信号切替装置を提供することを目的とする。
【課題を解決するための手段】
【０００９】
本発明の放送信号切替装置は、緊急情報の受信時に緊急情報に係る音声信号を出力するとともに起動命令を発生する緊急情報受信端末に対し接続されたものを前提とし、前記緊急情報受信端末から出力される緊急情報に係る音声信号が入力される第１音声信号入力部と、一般放送に係る音声信号が入力される第２音声信号入力部と、アンプに対して音声信号を出力する音声信号出力部と、前記緊急情報受信端末が起動命令を発生するとき、前記第１音声信号入力部と前記音声信号出力部とを接続し、前記緊急情報受信端末が起動命令を発生しないとき、前記第２音声信号入力部と前記音声信号出力部とを接続するように設けられたリレーと、を備えることを特徴とする。
【００１０】
また、本発明の放送信号切替装置は、上記構成を備えるものにおいて、前記緊急情報受信端末は、電気回路を断接するスイッチを有し、該スイッチを接状態にすることで前記起動命令を発生するものであり、前記リレーは、前記緊急情報受信端末の前記スイッチが接状態にあるとき、リレーコイルが励磁されるように設けられたものである、ことが望ましい。
【００１１】
また、本発明の放送信号切替装置は、既述の構成を備えるものにおいて、前記リレーは、前記緊急情報受信端末が起動命令を発生するとき、前記第１音声信号入力部と前記音声信号出力部とを接続するとともに、前記アンプに対する起動命令を発生し、前記緊急情報受信端末が起動命令を発生しないとき、前記第２音声信号入力部と前記音声信号出力部とを接続するとともに、前記アンプに対する起動命令を発生しないように設けられたものである、ことが望ましい。
【発明の効果】
【００１２】
本発明によれば、緊急情報の放送を一般放送よりも優先して行うことができ、かつ、学校等の放送設備におけるスピーカ、アンプなどの既存設備をそのまま利用することが可能となる。
【図面の簡単な説明】
【００１３】
【図１】Ｊ−ＡＬＥＲＴに接続される学校の放送設備の一例を示したシステム構成図である。
【図２】本発明の実施の形態に係る放送信号切替装置を学校の放送設備に組み込んだ状態を示すシステム構成図である。
【発明を実施するための形態】
【００１４】
以下、本発明の実施の形態に係る放送信号切替装置について図面を参照しながら説明する。
【００１５】
図１は、Ｊ−ＡＬＥＲＴに接続される学校の放送設備の一例を示している。１は衛星アンテナ（ＣＳ用アンテナ）であり、消防庁などから送信されるＪ−ＡＬＥＲＴの緊急情報（地震速報、津波警報、気象警報、武力攻撃情報など）を受信するためのアンテナである。２はＪ−ＡＬＥＲＴ信号受信機であり、衛星アンテナ１で受信した緊急情報を復調して、解析・処理等を行い、解析・処理等された信号に応じて起動信号および音声信号を後述のＩＰ放送送信機３に送信する。
【００１６】
ＩＰ放送送信機３は、ＬＡＮ（ローカル・エリア・ネットワーク）４などからなるＩＰ網を通じてＩＰ放送受信端末（緊急情報受信端末）５と通信を行い、各種の音声情報、起動信号等をＩＰ放送受信端末５へ送信する。なお、６は緊急情報を受信したＪ−ＡＬＥＲＴ信号受信機２からの指令に応じて回転点灯する回転灯であり、７は緊急情報を受信したＪ−ＡＬＥＲＴ信号受信機２から受信する緊急情報を表示する表示装置（モニタおよびパソコンで構成されている）である。また、１０は学校の敷地内を示している。
【００１７】
８は本発明の実施の形態に係る放送信号切替装置である。この放送信号切替装置８は、ＩＰ放送受信端末５に接続されている。ＩＰ放送受信端末５は、緊急情報の受信時に、放送信号切替装置８に対して、緊急情報に係る音声信号を出力するとともに、起動命令を発生する。なお、ＩＰ放送受信端末５は、ＩＰ放送送信機３から受信する緊急情報に係る音声情報を放送信号切替装置８に転送するものであってもよいし、或いは、端末５自身に予め複数種類の緊急情報に係る音声情報を記憶しておき、ＩＰ放送送信機３から受信する情報に応じて予め対応付けられた緊急情報に係る音声情報を読み出し、当該音声情報に関する音声信号を放送信号切替装置８に出力するものであってもよい。
【００１８】
放送信号切替装置８には、第１アンプ１１、第２アンプ１２および第３アンプ１３が接続されている。放送信号切替装置８は、これらのアンプ１１〜１３に対して音声信号を出力するとともに、起動命令を発生するようになっている。第１アンプ１１には学校の校舎内に設置された屋内用スピーカ１４が接続されており、第２アンプ１２には学校の校舎外に設置された屋外用スピーカ１５が接続されている。また、第３アンプ１３は防災専用アンプであり、このアンプ１３には、屋内用スピーカ１４および屋外用スピーカ１５の双方が接続され、さらに、図示しないＵＰＳ（無停電電源装置）も接続されている。なお、１６は、音声信号分配器であり、放送信号切替装置８からアンプ１１〜１３に送信される音声信号を分配する。１７は第２アンプ１２に接続された卓上マイクであり、この卓上マイク１７から屋外放送が可能となっている。
【００１９】
図２に示すように、放送信号切替装置８は、第１入力端子（第１音声信号入力部）２１、第２入力端子（第２音声信号入力部）２２、第１電気回路２３、第１出力端子（音声信号出力部）２４、第２電気回路２５、リレー２６、ＬＥＤランプ２７、スイッチングアダプタ２８、前記各部２１〜２７を内装したケーシング２９等を備えている。
【００２０】
第１入力端子２１は、ＩＰ放送受信端末５から緊急情報に係る音声信号が入力される第１音声信号入力部である。第２入力端子２２は、定まった時刻に時報、メロディ等の音声信号を出力するチャイムユニット３１等から音声信号（一般情報に係る音声信号）が入力される第２音声信号入力部である。なお、上記一般情報は、緊急情報以外の情報、例えば、音楽放送、チャイム放送、ページングなどの音声放送である。
【００２１】
第１電気回路２３には、その回路を断接可能なスイッチ５ａが設けられている。このスイッチ５ａは、ＩＰ放送受信端末５に設けられている。ＩＰ放送受信端末５は、緊急情報の受信時にこのスイッチ５ａを接状態にすることで、放送信号切替装置８に対する起動命令を発生する。一方、ＩＰ放送受信端末５は、緊急情報を受信していないとき、スイッチ５ａを断状態にし、放送信号切替装置８に対する起動命令を発生しない。
【００２２】
第１出力端子２４は、第１〜第３アンプ１１〜１３に対して音声信号を出力する音声信号出力部である。第１〜第３アンプ１１〜１３は、複数の入力端子を有し、かつ、各端子に入力される音声信号間で優先順位を決めてスピーカへ出力するような機能を持つ。つまり、最も優先順位の高い入力端子に入力された音声信号は他の入力端子に入力された音声信号よりも優先して出力（放送）され、他の入力端子に入力された音声信号はスピーカへの出力が遮断（カット）またはミュートされる。放送信号切替装置８の第１出力端子２４は、第１〜第３アンプ１１〜１３の最も優先順位の高い入力端子に接続されている。これにより、放送信号切替装置８の第１出力端子２４から各第１〜第３アンプ１１〜１３に入力される音声信号の放送が最優先で行われる一方、各第１〜第３アンプ１１〜１３の他の入力端子に入力された音声信号の放送は、全く放送されないか極低音量で放送されることとなる。
【００２３】
第２電気回路２５は、後述するリレー接点２６ｂが設けられた信号線からなり、リレー接点２６ｂが閉成状態になると、第１〜第３アンプ１１〜１３に対して起動信号が入力される（つまり、第１〜第３アンプ１１〜１３に対する起動命令が発生する）。例えば第１〜第３アンプ１１〜１３がスリープ状態になっているときに、この起動命令が発生すると第１〜第３アンプ１１〜１３が緊急放送可能な状態に直ちに起動する。なお、第１〜第３アンプ１１〜１３が、各端子に入力される音声信号間で優先順位を決めてスピーカへ出力する機能を持たないものである場合は、上記起動信号が第１〜第３アンプ１１〜１３に入力されたときに、各アンプ１１〜１３が第１出力端子２４から入力される音声信号の放送を最優先で出力（放送）するようにしてもよい。
【００２４】
リレー２６は、例えば、リレーコイル２６ａと４つのリレー接点２６ｂを有する電磁リレーからなる。リレーコイル２６ａは、ＩＰ放送受信端末５に設けられたスイッチ５ａが接状態（閉成状態）となることで、スイッチングアダプタ２８から駆動電流が供給されて励磁され、４つのリレー接点２６ｂを第１切替状態（図２に示す状態）から第２切替状態に切り替える。これにより、第１入力端子２１と第１出力端子２４とが接続されるとともに、第２電気回路２５が閉成状態になり、第１〜第３アンプ１１〜１３に対する起動命令が発生する。
【００２５】
一方、ＩＰ放送受信端末５に設けられたスイッチ５ａが断状態（開状態）のときは、リレーコイル２６ａに駆動電流が供給されず、４つのリレー接点２６ｂは第１切替状態（図２に示す状態）となる。これにより、第２入力端子２２と第１出力端子２４とが接続されるとともに、第２電気回路２５が開放状態になり、第１〜第３アンプ１１〜１３に対する起動命令は発生しない。
【００２６】
以下、放送信号切替装置８の動作について説明する。Ｊ−ＡＬＥＲＴ信号受信機２がＪ−ＡＬＥＲＴの緊急情報を受信しない平常時においては、ＩＰ放送受信端末５のスイッチ５ａは断状態（開放状態）にあり、放送信号切替装置８に対する起動命令は発生しない。このとき、リレーコイル２６ａは消磁状態にあり、リレー接点２６ｂは、第１状態（図２に示す状態）となっている。これにより、第１〜第３アンプ１１〜１３の音声信号入力端子には、チャイムユニット３１が出力する音声信号が入力されるようになっている。
【００２７】
一方、Ｊ−ＡＬＥＲＴ信号受信機２がＪ−ＡＬＥＲＴの緊急情報を受信した場合、Ｊ−ＡＬＥＲＴ信号受信機２は、緊急情報に係る音声信号および起動信号をＩＰ放送送信機３に送信する。ＩＰ放送送信機３は、ＩＰ網を通じてＩＰ放送受信端末５へ緊急情報に係る音声信号および起動信号を送信し、当該ＩＰ放送受信端末５は、放送信号切替装置８に対して緊急情報に係る音声信号を出力するとともに、起動命令を発生する。
【００２８】
放送信号切替装置８は、ＩＰ放送受信機５が起動命令を発生させると（つまり、スイッチ５ａが接状態になると）、リレーコイル２６ａが励磁してリレー接点２６ｂが第１状態（図２に示す状態）から第２状態に切り替わる。そして、チャイムユニット３１からの音声信号が入力されていた第１〜第３アンプ１１〜１３の音声信号入力端子には、ＩＰ放送受信端末５から出力される緊急放送に係る音声信号が入力されるようになり、緊急放送が優先的にスピーカ１４，１５から学校の敷地内に流れるようになる。
【００２９】
以上の説明から明らかなように、本発明の実施の形態に係る放送信号切替装置８によれば、確実に緊急情報の放送を一般放送よりも優先して行うことができる。また、アンプ１１〜１３の音声信号入力端子と、音声信号出力装置（ＩＰ放送受信端末５、チャイムユニット３１）との間に放送信号切替装置８のリレー２６が接続されるので、学校の放送設備のスピーカ１４，１５、アンプ１１〜１３などの既存の設備をそのまま緊急放送にも利用することが可能となる。
【００３０】
なお、上記実施形態では、３台のアンプ１１〜１３が設置された学校の放送設備を例に挙げて説明したが、本発明の適用はこれに限定されず、リレー接点２６ｂの数を増減させることで、１台又は２台のアンプが設置された学校等の放送設備や４台以上のアンプが設置された学校等の放送設備にも対応させることが可能である。
【００３１】
また、上記放送信号切替装置８に対して緊急情報に係る音声信号を入力するとともに、起動命令を発生する装置は、上記ＩＰ放送受信端末５に限定されず、同様に放送信号切替装置８に対して緊急情報に係る音声信号を入力するとともに、起動命令を発生させることができる装置であればＩＰ放送受信端末５に置き換えても同様の効果が得られる。
【符号の説明】
【００３２】
５    ＩＰ放送受信端末（緊急情報受信端末）
８    放送信号切替装置
１１    第１アンプ
１２    第２アンプ
１３    第３アンプ
２１    第１入力端子（第１音声信号入力部）
２２    第２入力端子（第２音声信号入力部）
２３    第１電気回路
２４    第１出力端子（音声信号出力部）
２６    リレー
２６ａ  リレーコイル
２６ｂ  リレー接点
【図１】
2013258617.tif 000003
【図２】
2013258617.tif 000004